(57)【特許請求の範囲】
【請求項１】
引き出しスライド用のスライド部材であって、
長手方向ウェブと、
前記長手方向ウェブの長手方向縁部に沿った一対の長手方向レースウェイ構造にして、各々がＳ字形断面を有し、Ｓ字形の第１端部位置の凹状の第１部分が第１レースウェイを形成し、Ｓ字型の第２端部位置の凹状の第２部分が第２レースウェイを形成するよう構成された長手方向レースウェイ構造と、
を含むスライド部材。
【請求項２】
前記第１レースウェイが外向レースウェイであり、前記第２レースウェイが内向レースウェイである請求項１に記載のスライド部材。
【請求項３】
一対のレースウェイ構造のＳ字形の第２端部が前記長手方向ウェブに結合される請求項１に記載のスライド部材。
【請求項４】
前記Ｓ字形断面が、第２レースウェイを形成する材料の第１層と、第１レースウェイを形成する材料の第３層と、第２レースウェイ及び第１レースウェイ間の材料の第２層とを有する請求項１に記載のスライド部材。
【請求項５】
前記材料の第２層の形状が前記材料の第１層の表面形状と一致する請求項４に記載のスライド部材。
【請求項６】
前記材料の第１層と、材料の第２層とが第１スぺーサにより結合される請求項４に記載のスライド部材。
【請求項７】
前記材料の第２層と材料の第３層とが第２スぺーサにより結合される請求項４に記載のスライド部材。
【請求項８】
前記内向レースウェイが、前記長手方向ウェブの長手方向縁部から伸延され、前記外向レースウェイが、前記長手方向ウェブにより形成される平面から外側方向に伸延される請求項２に記載のスライド部材。
【請求項９】
摩擦式の引き出しスライドであって、
湾曲した内向レースウェイにより境界付けされた長手方向ウェブを有する外側スライド部材と、
湾曲した外向レースウェイにより境界付けされた長手方向ウェブを有する内側スライド部材と、
前記外側スライド部材及び内側スライド部材を伸縮自在に連結する中間スライド部材にして、三角形状の突出部により境界付けされた長手方向ウェブを含み、前記三角形状の突出部の各頂点が、前記外側スライド部材の湾曲した内向レースウェイ内に載置されるための外側摩擦接触を提供し、前記三角形状の突出部の各ベース部が、前記内側スライド部材の湾曲した外向レースウェイ内に載置される内側摩擦接触を提供する中間スライド部材と、
を含む引き出しスライド。
【請求項１０】
各三角形状の突出部のベース部に近位する、凸状嶺部を更に含み、凸状嶺部及びベース部が、湾曲した外向レースウェイを提供する内側スライド部材の相当するフランジを受ける切り欠きを提供する請求項９に記載の摩擦式の引き出しスライド。
【請求項１１】
摩擦式の引き出しスライドであって、
湾曲した内向レースウェイにより境界付けされた長手方向ウェブを有する外側スライド部材と、
湾曲した外向レースウェイにより境界付けされた長手方向ウェブを有する内側スライド部材と、
前記内側スライド部材及び外側スライド部材を連結する中間スライド部材にして、対向するヘッドにより長手方向を境界付けされた、一体形成された長手方向ウェブを有し、前記ヘッドを覆ってカバーが座着され、前記カバーが、前記外側スライド部材及び内側スライド部材のレースウェイ内に載置されるための摩擦接触表面を提供する中間スライド部材と、
を含む引き出しスライド。
【請求項１２】
３段伸縮式のスライドであって、外側スライド部材と、前記外側スライド部材のレースウェイ内に入れ子された中間スライド部材と、前記中間スライド部材のレースウェイ内に入れ子された内側スライド部材とを有し、前記中間スライド部材が請求項１に記載のスライド部材であるスライド。
【発明の詳細な説明】
【技術分野】
【０００１】
本発明は一般に引き出しスライドに関し、詳しくは引き出しスライド部材の構造に関する。
【背景技術】
【０００２】
引き出しスライドは構造部内のケーシング、例えばキャビネット内の引き出し又はラック内のコンピュータ機器を伸縮可能に取り付けるために一般に使用される。引き出しスライドを使用すると、ケーシングがコンパクトに収納され、他方、ケーシング又はケーシング内のアイテムへの所望時のユーザーアクセスが比較的容易化されることがある。
【０００３】
引き出しスライドが担持する負荷が重要となる場合がある。負荷は、特に引き出しスライドの部材を構造部から伸縮させる際に引き出しスライドに大きな力を付加し得る。加えて、引き出しスライド部品の相対強度が重視されるある用途では引き出しスライドの、特に幅方向の許容空間が制限され得る。スリム型の引き出しはその条件から、コスト上の理由から何れにせよ望ましくないであろう厚手の、従って高強度の引き出しスライド材料は残念ながら恐らく使用できない。
【０００４】
特にラックマウント型コンピュータ機器用途の場合、引き出しスライド用に割り当てられる幅方向空間は非常に狭いであろうし、コンピュータ機器自体も重い。コンピュータ機器のサイズが多様であることが事を複雑化している。例えば、コンピュータ機器のサイズはしばしば１ラックユニット（１Ｕ）サイズ又は２ラックユニット（２Ｕ）サイズであり、別の機器のサイズは機器の重量増大に比例する場合があり得る。ラックサイズの異なる機器を使用することで引き出しスライドの設計が複雑化され、異なるラックサイズ用の異なる引き出しスライドが必要となる不都合が生じ得る。
【発明の概要】
【発明が解決しようとする課題】
【０００５】
従来問題を解消するスリム型引き出しスライドを提供することである。
【課題を解決するための手段】
【０００６】
本発明の１様相によれば、引き出しスライド用のスライド部材であって、長手方向ウェブにより分離された１対の長手方向レースウェイ構造を含み、各長手方向レースウェイ構造が、Ｓ字形断面を有し、Ｓ字形の第１端部に関する外向部分が外向レースウェイを形成し、Ｓ字形の第２端部に関する内向部分が内向レースウェイを形成するよう意図された引き出しスライド用のスライド部材が提供される。
【０００７】
本発明の１様相によれば、引き出しスライド用のスライド部材であって、長手方向ウェブにより分離された１対の長手方向レースウェイ構造を含み、各長手方向レースウェイ構造が断面を有し、前記ウェブの長手方向縁部に関して前記長手方向縁部から伸延する湾曲した内向レースウェイにして、前記ウェブの長手方向縁部に関する近位縁部と、前記ウェブから遠い遠位縁部とを有する内向レースウェイと、前記内向レースウェイの前記遠位縁部から外側に伸延する第１支台と、前記第１支台から伸延する湾曲した外向レースウェイと、前記外向レースウェイから前記内向レースウェイの近位縁部方向に伸延する第２支台と、前記第２支台から伸延するベース部にして、前記内向レースウェイを形成する材料の外向表面に関して伸延し且つ全体に一致するベース部とを有するスライド部材が提供される。
【０００８】
本発明の他の様相によれば、伸縮式引き出しスライドであって、内向レースウェイにより境界付けされる長手方向ウェブを有する外側スライド部材と、外向レースウェイにより境界付けられる長手方向ウェブを有する内側スライド部材と、前記外側スライド部材の前記内向レースウェイ内を走行するベアリングにより前記外側スライド部材に伸縮自在に連結された中間スライド部材にして、前記内側スライド部材の前記外向レースウェイ内を走行するベアリングを受ける湾曲した内向レースウェイにより境界付けされる長手方向ウェブと、前記内向レースウェイを形成する材料の縁部から、この縁部に関して外側に伸延される支台と、前記支台間で前記外側スライド部材の前記内向レースウェイ内を走行するベアリングを受ける湾曲した外向レースウェイと、前記内向レースウェイの外側表面に接触し且つ一致する材料の追加（ｅｘｔｒａ）層と、を有する中間スライド部材とを含む引き出しスライドが提供される。ある実施態様では、一方の支台は前記内向レースウェイの前記長手方向ウェブから遠い外側縁部から伸延され、他方の支台は前記内向レースウェイの内側縁部の周囲の材料の追加層から伸延される。ある実施態様では前記中間スライド部材は材料のストリップから一体的に形成される。ある実施態様では前記中間スライド部材は少なくとも１対の、対向する、角度付けされた移行部を含む。ある実施態様では前記少なくとも１対の、対向する、角度付けされた移行部は前記長手方向ウェブのオフセットされたプラットフォームにより分離される。ある実施態様では前記少なくとも１対の、対向する、角度付けされた移行部は２対の角度付けされた移行部を含む。
【発明の効果】
【０００９】
従来問題を解消するスリム型引き出しスライドが提供される。
【図面の簡単な説明】
【００１０】
【図１Ａ】図１Ａは、本発明の様相に従う伸縮式引き出しスライドの断面図である。
【図１Ｂ】図１Ｂは、本発明の様相に従う別の伸縮式引き出しスライドの断面図である。
【図２】図２は、本発明の様相に従う更に他の引き出しスライドの断面図である。
【図３】図３は、図１の引き出しスライドの部分伸縮位置の例示図である。
【図４】図４は、ラック用途における引き出しスライドの仕様例の例示図である。
【図５】図５は、本発明の様相に従う２つの引き出しスライドの断面図である。
【図６】図６は、本発明の様相に従う更に他の２つの引き出しスライドの断面図である。
【図７】図７は、本発明の様相に従う引き出しスライドの部分断面図である。
【図８】図８は、本発明の様相に従う更に尚他の引き出しスライドの断面図である。
【図９】図９は、本発明の様相に従う摩擦式引き出しスライドの部分伸縮位置の例示図である。
【図１０】図１０は、本発明の様相に従う摩擦式引き出しスライドの部分伸縮位置の部分例示図である。
【図１１】図１１は、本発明の様相に従う更に他の摩擦式引き出しスライドの断面図である。
【図１２】図１２は、部分伸縮位置における図１２の引き出しスライドの例示図である。
【図１３】図１３は、本発明の様相に従う更に尚他の摩擦式引き出しスライドの断面図である。
【図１４】図１４は、本発明の様相に従う更に尚他の摩擦式引き出しスライドの中間スライドの例示図である。
【図１５】図１５は、本発明の様相に従う更に他の中間スライド部材を有する引き出しスライドの断面図である。
【発明を実施するための形態】
【００１１】
図１Ａには本発明の様相に従う伸縮式引き出しスライドの断面図が示される。一般に、伸縮式引き出しスライドは、伸縮して相互に出入り可能な、レールと称されることもあるスライド部材を含んでいる。伸縮式引き出しスライドは、例えば、２段又は３段式の引き出しスライドであり得る。２段式引き出しスライドの場合、内側スライド部材は外側スライド部材内に全体に格納され且つ入れ子式に伸縮自在である。３段式引き出しスライドでは中間スライド部材が外側スライド部材内に全体が格納され且つそこから入れ子式に伸縮自在であり、内側スライド部材が中間スライド部材内に全体が格納され且つそこから入れ子式に伸縮自在である。
【００１２】
図１Ａの引き出しスライドは３段式引き出しスライドであり、外側スライド部材１１１と、中間スライド部材１１３と、内側スライド部材１１５とを含む。外側スライド部材は一般に、対向する湾曲したレースウェイ１２３、１２５により長手方向を境界付けされた長手方向ウェブ１２１を含む。前記対向するレースウェイ１２３、１２５は、それらが全体に相互方向（且つスライド部材を二分するセンター平面方向）を向いていることから、内向である考え得る。中間スライド部材１１３は全体に外側スライド部材のレースウェイ間にある。中間スライド部材はレースウェイにより長手方向を境界付けされた、全体に長手方向ウェブをも有する。図１Ａに示す如きある実施態様では、中間スライド部材のウェブは一般に、長手方向ストリップ（以下、ストリップ）１１８により境界付けされた嵌め込み式プラットフォーム（以下、プラットフォーム）１１６にして、移行部１２０で前記ストリップに連結された嵌め込み式プラットフォームを含む。ストリップは全体に外側スライド部材のウェブに接近され、他方、プラットフォームは、例えば、ある実施態様では外側スライド部材に関連する取り付け用ハードウェアを含み得る種々の物品あるいはその他物品のためのクリアランスを提供するべく、外側スライド部材のウェブからオフセットされる。
【００１３】
中間スライド部材のレースウェイは、湾曲した内向レースウェイ１２７、１２９を含む第１セットと、外側スライド部材のレースウェイ方向の、湾曲した外向レースウェイ１３１、１３３を含む第２セットとを含む。中間スライド部材の外向レースウェイは、例えば、ベアリングスぺーサ又はリテーナ１１７により図１Ａにおける如く保持され得るベアリングにより外側スライド部材の内向レースウェイに摺動自在又は回転自在に連結される。中間スライド部材の内向レースウェイ内に内側スライド部材１１５が配置される。内側スライド部材は、外側スライド部材と同様にレースウェイ１３７、１３９により長手方向を境界付けされた長手方向ウェブ１３５を有し、内側スライド部材のレースウェイは全体に外向である。内側スライド部材の外向レースウェイは、例えば、ベアリング１１９により中間スライド部材の内向レースウェイに摺動自在又は回転自在に連結される。
【００１４】
中間スライド部材については、内向レースウェイは長手方向ウェブの長手方向縁部から伸延される。外向レースウェイは内向レースウェイの外側にある。図１Ａの中間スライド部材のレースウェイは３層材料から形成される。ある実施態様では、３層材料はＳ字形を有し、Ｓ字の端部の外向周囲部分を外向レースウェイとして形成し、且つ、Ｓ字の他端部の内向部分を内向レースウェイとしても形成するものとしても考え得る。
【００１５】
簡略化のため中間スライド部材の一組のレースウェイのみを参照するに、対向するレースウェイセットは図１Ａに示すような対称形状を有し、内向レースウェイ１２７は長手方向ウェブの長手方向縁部の外側に伸延される。内向レースウェイは３層材料の第１層を形成する。第１垂直スぺーサ１４１が内向レースウェイの１端部から外側に伸延される。中間スライド部材の第２層１４３は長手方向ウェブにより形成される平面方向に全体に伸延される。図１Ａに示すようなある実施態様では、３層材料の第２層は内側レースウェイを形成する材料の外向表面と接触し、且つ、前記外向表面と全体的に形状が一致される。第２垂直スぺーサ１４５が材料の前記第２層の端部から外側方向に伸延される。材料の第３層を形成される外向レースウェイ１３１は、前記第２垂直スぺーサの外向端部から伸延され且つ長手方向ウェブにより形成される平面から離間される。
【００１６】
図１Ｂには本発明の様相に従う更に他の引き出しスライド部材が例示される。この引き出しスライド部材は図１Ａの中間スライド部材と形状が類似するものであり、例えば、図１Ａの引き出しスライドの中間スライド部材として使用され得る。図１Ｂの中間スライド部材は長手方向センター平面に関して対称であり、簡略化のため、図１Ａにおいてそうしたように一方のセットのレースウェイのみについて以下に詳しく説明される。
【００１７】
図１Ａの中間スライド部材の如く、図１Ｂの引き出しスライド部材は長手方向ウェブ１４９と、湾曲するレースウェイを形成する平坦な上面及び底面を有するＳ字形を形成するものとして考え得る所の、３層材料から形成されるレースウェイとを含む。従って、図１Ｂの引き出しスライド部材は、内向レースウェイ１５１と、第１垂直スぺーサ１５３と、材料の第２層１５５と、第２垂直スぺーサ１５７と、湾曲する外向レースウェイ１５９とを含む。内向レースウェイは長手方向ウェブの長手方向縁部から伸延され、第１垂直スぺーサ１５３が内向レースウェイの一端部から外側に伸延される。材料の第２層１５５は、ウェブにより全体が形成される平面に戻る方向に伸延され、且つ、第１レースウェイを形成する材料の形状に全体に一致される。第２垂直スぺーサは材料の第２層の一端部から外側に伸延され、外向レースウェイは第２垂直スぺーサの外側端部から伸延される。
【００１８】
図１Ｂの引き出しスライド部材は、外向レースウェイの端縁部位置に副支台１６１をも含む。副支台は外向レースウェイの端縁部から内側に伸延され、少なくとも部分的には、第１垂直スぺーサの上部の一部上、及び又は、ある実施態様では材料の第２層１５５上に位置付けられる。副支台は外向レースウェイに対する強い支持を提供する。
【００１９】
図２には本発明の様相に従う更に他の引き出しスライドが例示される。図２の更に他の引き出しスライドは３段伸縮式のスライドであり、外側スライド部材２１１と、中間スライド部材２１３と、内側スライド部材２１５とを有している。ベアリングリテーナ２１４内のベアリングのセットが外側スライド部材と中間スライド部材とを連結し、ベアリング２１６のセットが中間スライド部材と内側スライド部材とを連結される。外側スライド部材と内側スライド部材とは夫々、図１Ａに関して説明したように、湾曲するレースウェイ２２１ａ、ｂ、２２３ａ、ｂにより夫々長手方向を境界付けされた長手方向ウェブ２１７、２１９を有する。外側スライド部材のレースウェイ２２１ａ、ｂは内向であり、内側スライド部材の２２３ａ、ｂは外向である。
【００２０】
中間スライド部材は、図１Ａの中間スライド部材に関して説明した長手方向ウェブに類似する長手方向ウェブ２２５を含む。中間スライド部材は、内向レースウェイ２２７、２２９及び外向レースウェイ２３１、２３３をも含む。
【００２１】
二組のレースウェイに適用されるものとして、一組の中間スライド部材のレースウェイのみを説明すると、内向レースウェイ２２７は長手方向ウェブの長手方向縁部から伸延される。図２に示すように、内向レースウェイは、長手方向ウェブにより形成される平面を全体に横断して伸延される。第１支台２４１が、内向レースウェイの、長手方向ウェブから遠い側の縁部から外側に伸延される。外向レースウェイ２３１は第１支台の頂部から実質的に水平方向に伸延される。従って、外向レースウェイは長手方向ウェブにより形成される平面をも全体に横断して伸延される。第２支台２３７が外向レースウェイの対向する端部から内側に伸延され、第２支台は、長手方向ウェブの長手方向縁部に関する内向レースウェイの縁部方向に伸延される。ベース部２３９が、第２支台から第１支台方向に外側に伸延され、前記ベース部は、内向レースウェイを形成する材料の外側表面に全体に接触し且つ前記外側表面に形状が一致される。前記ベース部は２つのレースウェイ間に位置付けられ、且つ、外向レースウェイのための支持をも提供する。
【００２２】
ある実施態様では、中間スライド部材のレースウェイは、返し部分の対向する側部がレースウェイを形成するように凹湾状に作製され、中間スライド部材の材料の長手方向縁部に沿って二重返し部分が形成されたものと見なし得る。上述したように、二重返しは長手方向ウェブを横断するものと考慮し得、従って、横断方向の二重返しと考え得る。ある実施態様では中間スライド部材の外向レースウェイは、中間スライド部材の内向レースウェイから外側に伸延される一体形成された台部を形成するものと見なし得る。
【００２３】
図３には図２の引き出しスライドが部分伸縮位置で示されるが、図１Ａの引き出しスライドあるいはその他の、ここで説明される引き出しスライドも同様に伸縮され得るものとする。図３に示されるように、内側スライド部材２１５は中間スライド部材２１３から部分的に伸縮されている。その後、中間スライド部材２１３が外側スライド部材２１１から部分的に伸縮される。外側スライド部材が構造部に固定取り付けされ、内側スライド部材がケーシングに装着される場合、中間スライド部材及び内側スライド部材が伸縮されるとケーシングが構造部から全体に伸縮してケーシングへのアクセスが容易化され得る。あるいは内側スライド部材を構造部に固定取り付けし、外側スライド部材をケーシングに装着すると内側スライド部材及び外側スライド部材の作用を逆転させ得る。
使用上、図１Ａ又は図２の引き出しスライドを、例えば図４に示すようにラックに取り付け得る。ラックは一般に、その２本４２１、４２３を図４に示す４本の支柱を含む。支柱は一般に矩形断面のエンクロージャの外観を形成する構成を有する。図４に示すように、引き出しスライド４１１は一般に取り付け用ハードウェア４１７、４１９を用いてラック間に取り付けられる。対向するラック支柱（図示せず）に取り付けた対向する引き出しスライド（同じく図示せず）も一般に使用され、前記対向する引き出しスライドには、例えばコンピュータ機器が取り付けられる。
引き出しスライド部材を引き出すと、コンピュータ機器がラックから引き出される。
【００２４】
図５には本発明の様相に従う更に他の引き出しスライドが例示される。図５の引き出しスライドは外側スライド部材５１１と内側スライド部材５１３とを有する２段式のものである。内側スライド部材は外側引き出し部材内に全体に格納され、且つ、そこから入れ子式に伸縮自在である。内側スライド部材は、湾曲する外向レースウェイ５２１により境界付けられた長手方向ウェブ５１９を有する。外側スライド部材は、全体に二重返し状に形成した湾曲する内向レースウェイ５２５により長手方向を境界付けされた長手方向ウェブ５２３を含む。再度、構造部に関する一方のレースウェイのみについて説明すると、二重返しは湾曲する内向レースウェイ５２５と、外側スライド部材の材料の幅を収受する曲げ部を有効に形成する第１オフセット５２７と、外側縁部５２９と、外側スライド部材の材料の幅用に湾曲する曲げ部を同様に有効に形成する第２オフセット５３１と、二重返し部分の内側部分５３３とを含んでいる。ベアリング５１５ａ、５１５ｂが外側スライド部材と内側スライド部材とを連結する。これらのベアリングは、図５に例示されるようにベアリングリテーナ５１７を使用することで所定の位置に相対的に好都合に維持される。
【００２５】
図６には本発明の様相に従う更に別の引き出しスライドが例示される。図６の外側スライド部材６１１は長手方向ウェブ６１７を含み、前記長手方向ウェブは、図６の実施例に例示されるようにベアリングリテーナ６１５ａ、６１５ｂ内に保持されたベアリングを収納する湾曲したレースウェイ６１９ａ、ｂにより全体に長手方向を境界付けされる。内側スライド部材６１３は、長手方向ウェブの長手方向縁部から伸延される台部の上部に形成した外向レースウェイ６２７により長手方向を境界付けされた長手方向ウェブ６２１を含む。図６の引き出しスライドの台部は、長手方向ウェブの長手方向縁部から伸延されるベース部６２３と、長手方向ウェブから遠い側のベース部の縁部から外側に伸延される第１側壁６２５と、外向レースウェイ６２７を提供する凹状の上部と、前記上部の、前記第１側壁に対向する側部から内側方向に伸延される第２側壁６２９と、第２側壁から伸延される支持部６３１にして、前記ベース部に接触し、且つ、全体に前記ベース部の形状に一致される第１表面を有する支持部６３１と、少なくとも部分的に前記上部を支持する第２支台とを含む。
【００２６】
図７には本発明の様相に従うスライド部材の部分断面図が例示される。図７のスライド部材は、例えば、図１Ａ又は図２の中間スライド部材、図５の外側スライド部材、又は、図６の内側スライド部材として使用され得る。
図７のスライド部材は、図７にその１つを示すレースウェイ構造７１０により境界付けされた長手方向ウェブ７０７を含む。レースウェイ構造は、長手方向ウェブの長手方向縁部から延びる湾曲した内向レースウェイ７１１を含む。第１支台７１３が、内向のレースウェイの長手方向ウェブから遠位側の一端から外側方向に伸延される。湾曲した外向レースウェイ７１５が第１支台の上部から、長手方向ウェブによりその全体が形成される平面方向に戻るように伸延される。外向レースウェイは第２支台７１７方向に伸延される。第２支台は、外向レースウェイの縁部と部分ベース部７１９との間を伸延する。部分ベース部は湾曲する内向レースウェイ７１１の外側表面に沿って部分的に伸延される。図７に示すように、部分ベース部は湾曲する内向レースウェイ７１１の中心線に全体に接近されるが到達せず、他方、湾曲する外向レースウェイ７１５の中心線には到達してこれを支持する。
【００２７】
図８には本発明の様相に従う更に他の引き出しスライド部材が例示される。図８のスライド部材は、レースウェイ構造８１１により境界付けされた全体に長手方向のウェブを含む。例示されるように、レースウェイ構造は図２の中間スライド部材のレースウェイ構造と同一構成を有するが、色々の実施態様ではその他の図に関して説明されたレースウェイ構造と同一の構成を有し得る。
【００２８】
長手方向ウェブは長手方向縁部部分、例えば、中央長手方向プラットフォーム８１５を境界付ける縁部部分８１３を含む。対向する１対の角度付き移行部、例えば、対向する角度付き移行部８１７が縁部部分をプラットフォーム８１５から分離させる。対向する角度付き移行部は、合わせた断面が蛇行形状を有し得、長手方向ウェブの強度を増大させると考えられる。
【００２９】
図９には本発明の様相に従う摩擦引き出しスライドが例示される。摩擦引き出しスライドは伸縮位置で示され、３段入れ子式の引き出しスライドである。引き出しスライドは、中間スライド部材９１３内に全体に入れ子され、且つ、そこから伸縮自在に伸縮可能であり、中間スライド部材はその後、外側スライド部材９１５内に全体に入れ子され、且つ、そこから伸縮自在に伸縮可能である。内側、中間、外側のスライド部材は図２に関して説明されている。しかしながら、その他実施態様では中間スライド部材は図１Ａ、図１Ｂ、図７又は図８の何れかに関して説明されたようなものであり得る。
【００３０】
しかしながらスライド部材は摩擦ロッドで連結される。ロッド、例えばロッド９１７は、外側スライド部材の前方に関して外側スライド部材のレースウェイ内に固定され、その移動中に、例えば中間スライド部材をその伸縮中に支持する。ロッド、例えばロッド９１８は、中間スライド部材の後方に関して中間スライド部材の外向レースウェイ内に固定され、やはり移動中の中間スライド部材を支持する。
【００３１】
同様に、ロッド、例えばロッド９１９は、中間スライド部材の前方に関して中間スライド部材の内向レースウェイ内に固定され、移動中の内側スライド部材を支持される。ロッド、例えばロッド９２０は、その後方に関して内側スライド部材のレースウェイ内に固定され、この内側スライド部材をその移動中に同様に支持する。
【００３２】
ある実施態様ではロッドはスライド部材に関して所定位置に固定され得ない。例えば、ある実施態様ではロッドはスライド部材の移動中にスライド部材と共に浮揚され得、スライドが完全伸縮位置又は完全閉鎖位置に達されるとリサイクル用ストッパを使用してロッドが適宜再位置決めされる。そのような実施態様では一般に、固定位置を有するロッドの長さと比較してもっと長いロッドが使用される。
【００３３】
図１０には浮揚式ロッドを使用する引き出しスライドの実施態用が例示される。第１対のロッド１０２ａ、ｂが外側スライド部材１０１１と中間スライド部材１０１３とを連結する。第２対のロッド１０２３ａ、ｂが、中間スライド部材と内側スライド部材１０１５とを連結する。スライド部材の前方及び後方のレースウェイのストッパ（図示せず）が、所定位置に固定されないロッドのレースウェイからの脱落を防止するよう作用する。加えて、ストッパはロッドが特定位置、例えば、スライドが完全伸縮又は完全引き込み位置にある際の特定スライドに関するレースウェイの完全に前方又は後方の位置にある場合のロッドの前方又は後方への移動を停止する点でリサイクル特徴を提供する。
【００３４】
図１１には本発明の様相に従う摩擦式引き出しスライドの断面図が例示される。摩擦式引き出しスライドは３段入れ子式引き出しスライドであり、図１Ａのスライドに関して説明したような外側スライド部材１１１１と、内側スライド部材１１１３とを含む。中間スライド部材１１１５が外側スライド部材と内側スライド部材とを伸縮自在に連結する。ある実施態様では中間スライド部材は図１Ａの中間スライド部材及びスライドのベアリングと交換し得るように寸法付けされる。
【００３５】
図１１のスライドでは中間スライド部材は、長手方向縁部により境界付けされた中央オフセットプラットフォームを含むように例示される、全体に長手方向ウェブ１１１７を含む。図１１を参照されるに、中間スライド部材はスライドの上半分として示され、内側スライド部材の湾曲する外向レースウェイ内に載置されるための内側摩擦接触面を形成する内側角度付き曲げ部１１１９を含む。中間スライド部材は、外側スライド部材の湾曲する内向レースウェイ内に載置されるための外側摩擦接触面をも含む。外側摩擦接触面は中間スライド部材の返し縁部１１２１、１１２３内に形成され、返し縁部は角度付き曲げ部により提供される内側摩擦接触面から外側に延長される。図１１の実施態様では返し縁部の外側延長部は、内側スライド部材の外向レースウェイのレースウェイセンターと、外側スライド部材の内向レースウェイとの間の若干の横方向オフセットを収受するべく、中間スライド部材の長手方向ウェブにより全体を形成する平面方向にも若干角度付けされる。図１１に示す摩擦式スライドの潜在的利点は、ロール形成プロセスを使用するシートストリップにより中間スライド部材を形成し得ることである。
【００３６】
図１２には図１１の摩擦式引き出しスライドが部分伸縮位置で例示される。図１２から、内側スライド部材１２１５が中間スライド部材１２１３から部分的に伸縮され、中間スライド部材はその後、部分的に外側スライド部材１２１１から伸縮されることを理解されよう。
図１３には本発明の様相に従う更に他の摩擦式引き出しスライドの断面図が例示される。図１３の摩擦式引き出しスライドは図１１の摩擦式引き出しスライドと類似のものであるが中間スライド部材の構成は相違する。かくして、図１３の摩擦式引き出しスライドは、図１１のスライドと同様に３段入れ子式の引き出しスライドであり、図１Ａのスライドに関して説明した如く、外側スライド部材１３１１と、内側スライド部材１３１５とを含む。中間スライド部材１３１３は外側スライド部材と内側スライド部材とを伸縮自在に連結し、ある実施態様では、図１Ａのスライドの中間スライド部材及びベアリングと交換し得るように寸法付けされる。
【００３７】
図１３の中間スライド部材は、全体的に三角形のローブ、例えば三角形ローブ１３２５で全体に長手方向を境界付けされた長手方向ウェブを含む。三角形ローブの内側は図１３に例示されるように中空であり得る。三角形ローブの頂部は、外側スライド部材の湾曲する内向レースウェイ内に載置されるための外側摩擦接点を提供する。図１３の中間スライドは、例えば押し出し成型により形成され得、恐らくは押し出し後にサイジングが実施され、且つ、恐らくは接触表面がアノダイズ処理により硬質化される。
【００３８】
傾斜凸嶺部１３２３を含む壁がウェブと三角形ローブとを連結する。前記壁は、ベース部の中心から幾分オフセットされた結合部で三角形ローブのベース部１３２７に結合される。結合部は第１方向にオフセットされ、傾斜凸嶺部は第１方向とは逆方向で壁から全体に伸延される。傾斜凸嶺部の表面と、壁の一部と、ベース部の底部とが合わさり切り欠きを形成する。切り欠きは、外向レースウェイを提供する内側スライド部材のフランジと合致する形状を有する。切り欠きは外向レースウェイを受け、三角形ローブのベース角部が、レースウェイ内に載置されるための内側摩擦接点を提供する。切り欠きが、外向レースウェイの若干湾曲する形状に合致する形状を有すること、及び、中間スライド部材が内側スライド部材の両方の外向レースウェイのための切り欠きを含むことから、切り欠きは中間スライド部材の内側摩擦接点及び内側スライド部材のレースウェイのそれ以降の相対位置を維持するように作用する。例えば、切り欠きは内側部材１３１５の外向レースウェイを全体に捕捉し、ねじれ又は張力による部材の分離を拘束及び防止する。
【００３９】
図１４には本発明の更に他の様相に従う中間スライド部材が例示される。図１４の中間スライド部材は、摩擦式引き出しスライド、例えば図１２の摩擦式引き出しスライドにおいて一般に使用するためのものである。図１１及び図１３の中間スライド部材における如く、図１４の中間スライド部材は、ある実施態様では図１Ａの中間スライド部材及びベアリングと交換し得るように寸法付けされる。
【００４０】
図１４のスライド部材は、その１つが例えばローブ１４１３であるところの全体に楕円形の対向するローブで長手方向を境界付けされた長手方向ウェブ１４１１を含む。ローブはある実施態様では押し出し成型又は射出成型により形成され得る。ローブ１４１３は、外側スライド部材の内向レースウェイ内に載置されるための外側摩擦接触面を提供する外向表面１４１５と、内側スライド部材の外向レースウェイ内に載置されるための内側摩擦接触面を提供する内向表面１４１７とを含む。
【００４１】
ある実施態様ではウェブ及び対向するローブは、例えば押し出し成型アルミニュームで一体形成される。ある実施態様では摩擦接触面は、接触面の摩擦力又は経時摩耗を減少させるために例えばテフロン（登録商標）で被覆される。ある実施態様、例えば図１４に例示される実施態様では、ウェブ及びローブは別個に形成され、ローブが、例えばリベットあるいはその他であり得る締め具１４１９によりウェブに装着される。そのような実施態様ではウェブは例えばスチールから形成され得、ローブは例えばラバー又はプラスチックから形成され得る。
【００４２】
図１５には、図１４のそれと類似する中間スライド部材を含む３段入れ子式引き出しスライドの断面が示される。スライドは、外側スライド部材１５１１と、中間スライド部材１５１３と、内側スライド部材１５１５とを含む。外側スライド部材及び内側スライド部材は、例えば図１に関して説明したようなものである。
【００４３】
図１５から、中間スライド部材がウェブ１５１７から一体形成され、且つ、対向するヘッド１５２１を境界付けすることを理解されよう。Ｃ字形カバー１５１９がヘッドを覆って座着され、前記Ｃ字形カバーが、外側スライド部材及び内側スライド部材のレースウェイ内に載置されるための摩擦接触面を提供する。Ｃ字形カバーとヘッドとが合わさり、図１４に関して説明した楕円形のローブに類似する構造を提供する。ヘッドが存在することで、ローブに対する高い強度が提供されるのみならず、カバー及びヘッドを連結する締め具あるいはその他類似物を受けるための、単なる長手方向ウェブと比較して深い材料深さが提供される。
以上、本発明を実施例を参照して説明したが、本発明の内で種々の変更をなし得ることを理解されたい。
【符号の説明】
【００４４】
１０２ａ  ロッド
１１１  外側スライド部材
１１３  中間スライド部材
１１５  内側スライド部材
１１７  リテーナ
１１９  ベアリング
１２０  移行部
１２１  長手方向ウェブ
１２３  レースウェイ
１２７  内向レースウェイ
１３１  外向レースウェイ
１３５  長手方向ウェブ
１３７  レースウェイ
１４１  第１垂直スペーサ
１４３  第２層
１４５  第２垂直スペーサ
１４９  長手方向ウェブ
１５１  内向レースウェイ
１５３  第１垂直スペーサ
１５５  第２層
１５７  第２垂直スペーサ
１５９  外向レースウェイ
１６１  副支台
２１１  外側スライド部材
２１３  中間スライド部材
２１５  内側スライド部材
２１６  ベアリング
２１７  長手方向ウェブ
２２１ａ  レースウェイ
２２５  長手方向ウェブ
２２７  内向レースウェイ
２３１  外向レースウェイ
２３７  第２支台
２３９  ベース部
２４１  第１支台
３２３  傾斜凸嶺部
４１１  スライド
４１７  取り付け用ハードウェア
４２１  支柱
５１１  外側スライド部材
５１３  内側スライド部材
５１５ａ  ベアリング
５１７  ベアリングリテーナ
５１９  長手方向ウェブ
５２１  外向レースウェイ
５２３  長手方向ウェブ
５２５  レースウェイ
５２７  第１オフセット
５３１  第２オフセット
５３３  内側部分
６１１  外側スライド部材
６１３  内側スライド部材
６１５ａ  ベアリングリテーナ
６１７  長手方向ウェブ
６１９ａ  レースウェイ
６２１  長手方向ウェブ
６２３  ベース部
６２５  第１側壁
６２７  外向レースウェイ
６２９  第２側壁
６３１  支持部
７０７  長手方向ウェブ
７１０  レースウェイ構造
７１１  内向レースウェイ
７１３  第１支台
７１５  外向レースウェイ
７１９  部分ベース部
８１１  レースウェイ構造
８１３  縁部部分
８１５  中央長手方向プラットフォーム
８１５  プラットフォーム
８１７  移行部
９１７  ロッド
９１８  ロッド
９１９  ロッド
９２０  ロッド
【図１Ａ】
0006438934.tif 000002
【図１Ｂ】
0006438934.tif 000003
【図２】
0006438934.tif 000004
【図３】
0006438934.tif 000005
【図４】
0006438934.tif 000006
【図５】
0006438934.tif 000007
【図６】
0006438934.tif 000008
【図７】
0006438934.tif 000009
【図８】
0006438934.tif 000010
【図９】
0006438934.tif 000011
【図１０】
0006438934.tif 000012
【図１１】
0006438934.tif 000013
【図１２】
0006438934.tif 000014
【図１３】
0006438934.tif 000015
【図１４】
0006438934.tif 000016
【図１５】
0006438934.tif 000017